(57)【要約】      （修正有）【課題】発光素子に対して照明カバーを動かすことにより、光学素子に対する発光素子の相対位置を調整及び変更する。【解決手段】ベース１６０と、照明カバー１１０と、光学素子１２０と、少なくとも１つの発光素子１３３とを備える照明装置１００。照明カバー１１０は光学素子１２０と一緒に、発光素子１３３に対して動かすことができる。照明カバー１１０及び光学素子１２０が発光素子１３３に対して異なる相対位置に調整及び変更することで出射光（emitted  light）の光学特性を変え、照明装置１００の照光特性を調整する。【選択図】図１Ｂ
2014229608.tif 000002
【特許請求の範囲】
【請求項１】
照明装置であって、
ベースと、
第１の開口部を有し、前記ベース上に配置され、かつ前記ベースとともに空間を形成する照明カバーと、
前記照明カバー上に固定され、かつ前記照明カバーの前記第１の開口部を実質的に覆う光学素子と、
前記空間内に配置される少なくとも１つの発光素子であって、前記発光素子によって発せられる光が前記光学素子を通過し、前記照明カバーから出て該照明装置の照光特性を形成する、少なくとも１つの発光素子と、
を備え、
前記照明カバーは前記光学素子と一緒に、前記発光素子に対して動かすことができ、前記照明カバー及び前記光学素子が、前記発光素子に対する第１の相対位置をとるとき、前記照光特性は第１の照光特性であり、前記照明カバー及び前記光学素子が、前記発光素子に対する第２の相対位置をとるとき、前記照光特性は第２の照光特性であり、前記第１の照光特性は前記第２の照光特性とは異なる、
照明装置。
【請求項２】
前記照光特性は、照光の色温度、カラーアピアランス、方向、範囲、又は光パターンのうちの少なくとも１つである、
請求項１に記載の照明装置。
【請求項３】
前記光学素子は、第１の光学特性領域及び第２の光学特性領域を有し、第１の光学特性を有する光が、前記発光素子によって発せられる前記光が前記第１の光学特性領域を通過すると形成され、第２の光学特性を有する光が、前記発光素子によって発せられる前記光が前記第２の光学特性領域を通過すると形成され、前記第１の光学特性は前記第２の光学特性とは異なる、
請求項１に記載の照明装置。
【請求項４】
前記第１の光学特性及び前記第２の光学特性はそれぞれ、前記光の波長又は前記光の伝播経路のうちの少なくとも一方である、
請求項３に記載の照明装置。
【請求項５】
前記第１の光学特性領域は第１の蛍光材料を有し、前記第２の光学特性領域は、前記第１の蛍光材料とは異なる第２の蛍光材料を有する、
請求項３に記載の照明装置。
【請求項６】
前記第１の光学特性領域は蛍光材料を有し、前記第２の光学特性領域は、開口部又は蛍光材料を一切有しない光透過素子である、
請求項３に記載の照明装置。
【請求項７】
前記第１の光学特性領域は二次光学素子を有する、
請求項３に記載の照明装置。
【請求項８】
前記第２の光学特性領域は、開口部、光透過素子、又は二次光学素子のうちの少なくとも１つである、
請求項７に記載の照明装置。
【請求項９】
前記二次光学素子は、反射性光学要素、屈折性光学要素、又は集光性光学要素のうちの少なくとも１つである、
請求項７に記載の照明装置。
【請求項１０】
前記第１の光学特性領域及び前記第２の光学特性領域は、蛍光材料をそれぞれ更に有する、
請求項７に記載の照明装置。
【請求項１１】
前記第１の光学特性領域は開口部を更に有し、前記二次光学素子は前記開口部の上に配置される、
請求項７に記載の照明装置。
【請求項１２】
前記第１の光学特性領域は光透過素子であり、前記第２の光学特性領域は、集光レンズ又は発散レンズのうちの少なくとも一方である、
請求項３に記載の照明装置。
【請求項１３】
前記集光レンズ又は前記発散レンズは、前記光学素子上に配置される複数のプリズムを含む、
請求項１２に記載の照明装置。
【請求項１４】
前記照明カバーの底部はフランジを有し、前記フランジは前記ベースの溝に可動な状態で装着される、
請求項１に記載の照明装置。
【請求項１５】
前記照明カバー及び前記光学素子は一体的に形成される、
請求項１に記載の照明装置。
【発明の詳細な説明】
【技術分野】
【０００１】
本開示は、包括的には照明装置に関し、より詳細には、調整可能な照光特性を有する照明装置に関する。
【背景技術】
【０００２】
低消費電力及び高輝度の特徴を有する発光ダイオード（ＬＥＤ）電球は、ますます一般的になってきている。しかしながら、現在のランプの多く（例えば、電球ランプ、映写用電球（projection  lamp）、及び埋め込み型ランプ（recessed  lamp）など）は、ユーザーによる調整が難しい既定の光パターン（light  pattern）及び色温度を有する。光パターン及び色温度に関して、ユーザーが異なる要求を持つ場合、現在のランプを、異なる光パターンと色温度を持つランプと交換する必要がある。
【０００３】
現在、色温度又はカラーアピアランス（color  appearance）を調整するのに一般的に用いられている方法は、例えば、異なる色温度又はカラーアピアランスを備えた複数のＩＣ制御ＬＥＤを用いること、又は光パターンを調整するための電気信号によって複数の異なる領域にあるＬＥＤの照度を制御することなどである。しかしながら、上述の方法は多数のＬＥＤの配置を必要とし、電気信号を制御するのに用いられるＩＣ素子は、更なる電力消費及びコスト増加を招く。したがって、効果的な解決策が依然として得られていない。
【０００４】
「色調節可能な光源（Color  tunable  light  source）」と題する特許文献１は、光出力窓と、キャビティを画定する少なくとも１つの側壁部と、取付板と、少なくとも１つの光源と、キャビティ内にある少なくとも１つの反射体と、を主に含む照明モジュールを開示している。側方出射形態の場合は、光出力窓は側壁部のうちの１つであることが可能である。光出力窓から出射される光の光スペクトル分布は、キャビティ内にある少なくとも１つの反射体に対する側壁部の相対位置を操作することにより、変更することができる。
【先行技術文献】
【特許文献】
【０００５】
【特許文献１】米国特許第７,９４２,５４０号
【発明の概要】
【０００６】
本開示は照明装置に関する。実施形態によれば、発光素子に対して照明カバーを動かすことによって、光学素子に対する発光素子の相対位置を調整及び変更することができる。したがって、出射光（emitted  light）の光学特性は、発光素子に対する照明カバーの相対位置が変化すると変わり、その結果、本照明装置の照光特性を調整することができる。
【０００７】
本開示の一実施形態によれば、照明装置が提供される。本照明装置は、ベースと、照明カバーと、光学素子と、少なくとも１つの発光素子とを備える。照明カバーは、第１の開口部を有する。照明カバーはベース上に配置され、またベースとともに空間を形成する。光学素子は、照明カバー上に固定され、照明カバーの第１の開口部を実質的に覆う。発光素子はその空間内に配置される。発光素子によって発せられる光が光学素子を通過し、照明カバーから出て本照明装置の照光特性が形成される。照明カバーは光学素子と一緒に、発光素子に対して動かすことができる。照明カバー及び光学素子が発光素子に対する第１の相対位置をとるとき、照光特性は第１の照光特性である。照明カバー及び発光素子が発光素子に対する第２の相対位置をとるとき、照光特性は第２の照光特性である。第２の照光特性は、第１の照光特性とは異なる。
【０００８】
本発明の上記の態様及び他の態様は、好適であるが限定的でない実施形態の以下の詳細な説明に関してより良く理解されるであろう。以下の説明は、添付の図面を参照してなされる。
【図面の簡単な説明】
【０００９】
【図１Ａ】本開示の一実施形態による照明装置の立体断面図である。
【図１Ｂ】本開示の一実施形態による照明装置の立体断面図である。
【図２Ａ】本開示の一実施形態による照明装置の上面図である。
【図２Ｂ】本開示の一実施形態による照明装置の上面図である。
【図３Ａ】図２Ａの切断線２Ａ−２Ａ’に沿った断面の部分断面図である。
【図３Ｂ】図２Ｂの切断線２Ｂ−２Ｂ’に沿った断面の部分断面図である。
【図４Ａ】本開示の別の実施形態による照明装置の立体断面図である。
【図４Ｂ】本開示の別の実施形態による照明装置の立体断面図である。
【図５Ａ】本開示の別の実施形態による照明装置の上面図である。
【図５Ｂ】本開示の別の実施形態による照明装置の上面図である。
【図６Ａ】図５Ａの切断線５Ａ−５Ａ’に沿った断面の部分断面図である。
【図６Ｂ】図５Ｂの切断線５Ｂ−５Ｂ’に沿った断面の部分断面図である。
【図７Ａ】本開示の更なる実施形態による照明装置の立体断面図である。
【図７Ｂ】本開示の更なる実施形態による照明装置の立体断面図である。
【図８Ａ】本開示の更なる実施形態による照明装置の上面図である。
【図８Ｂ】本開示の更なる実施形態による照明装置の上面図である。
【図９Ａ】図８Ａの切断線８Ａ−８Ａ’に沿った断面の部分断面図である。
【図９Ｂ】図８Ｂの切断線８Ｂ−８Ｂ’に沿った断面の部分断面図である。
【図１０Ａ】本開示の更に別の実施形態による照明装置の立体断面図である。
【図１０Ｂ】本開示の更に別の実施形態による照明装置の立体断面図である。
【図１１Ａ】本開示の更に別の実施形態による照明装置の上面図である。
【図１１Ｂ】本開示の更に別の実施形態による照明装置の上面図である。
【図１２Ａ】図１１Ａの切断線１１Ａ−１１Ａ’に沿った断面の部分断面図である。
【図１２Ｂ】図１１Ｂの切断線１１Ｂ−１１Ｂ’に沿った断面の部分断面図である。
【発明を実施するための形態】
【００１０】
本開示の実施形態によれば、発光素子に対して照明カバーを動かすことによって、光学素子に対する発光素子の相対位置を調整及び変更することができる。したがって、出射光の光学特性は、発光素子に対する照明カバーの相対位置が変化すると変わり、その結果、照明装置の照光特性を調整することができる。本開示の実施形態の詳細な説明は、添付の図面とともに以下で詳述される。実施形態の同一の要素又は類似の要素は、同じ参照番号によって指定される。添付の図面は本開示の実施形態の記述の便宜上簡略化されており、また本開示の実施形態において開示される詳細な構成は、本開示の保護範囲を限定するためではなく、専ら詳細な説明を目的とすることに留意すべきである。本開示の技術分野の当業者は、実際的な実施態様における必要性に応じて、これらの構成に必要な変更又は変形を加えることができる。
【００１１】
図１Ａ及び図１Ｂは、本開示の一実施形態による照明装置１００の立体断面図であり、図２Ａ及び図２Ｂは、本開示の一実施形態による照明装置１００の上面図である。図３Ａは、図２Ａの切断線２Ａ−２Ａ’に沿った断面の部分断面図であり、図３Ｂは、図２Ｂの切断線２Ｂ−２Ｂ’に沿った断面の部分断面図である。
【００１２】
図１Ａ、図２Ａ、及び図３Ａを参照すると、照明装置１００は、照明カバー１１０と、光学素子１２０と、ベース１６０と、少なくとも１つの発光素子１３３とを備える。照明カバー１１０は、ベース１６０上に配置される。照明カバー１１０はベース１６０とともに、空間１８０を形成する。照明カバー１１０は、第１の開口部１１０ａを有する。光学素子１２０は、第１の開口部１１０ａに配置され、照明カバー１１０の第１の開口部１１０ａを実質的に覆う。光学素子１２０は照明カバー１１０上に固定され、光学素子１２０は照明カバー１１０と一緒に、発光素子１３３に対して動かすことができる。発光素子１３３は空間１８０内に配置され、光学素子１２０は照明カバー１１０と発光素子１３３との間に配置される。発光素子１３３によって発せられる光は、光学素子１２０に入り、次いで照明カバー１１０から出て、その結果、照明装置１００の照光特性が形成される。一実施形態では、発光素子１３３はベース１６０上に配置され、第１の開口部１１０ａに対応する。一実施形態では、光学素子１２０は接続機構を介して、又は光学素子１２０と照明カバー１１０を一体的に形成することによって、照明カバー１１０上に固定することができる。
【００１３】
本実施形態では、照明カバー１１０及び光学素子１２０は、発光素子１３３に対して動かすことができる。照明カバー１１０及び光学素子１２０が、発光素子１３３に対する第１の相対位置をとるとき、発光素子１３３によって発せられる光が光学素子１２０を通過し、次いで照明カバー１１０から出て、照明装置１００の第１の照光特性が形成される。照明カバー１１０及び光学素子１２０が、発光素子１３３に対する第２の相対位置をとるとき、照明装置１００は第２の照光特性を有する。第１の照光特性は第２の照光特性とは異なる。本実施形態では、照光特性は例えば色温度、カラーアピアランス、照光の範囲、及び／又は光パターンなどである。
【００１４】
本実施形態では、光学素子１２０は、第１の光学特性を有する光を生成する第１の光学特性領域１２０ａと、第２の光学特性を有する光を生成する第２の光学特性領域１２０ｂとを有する。換言すれば、光が第１の光学特性領域１２０ａを通過すると、第１の光学特性を有する光が形成される。また、光が第２の光学特性領域１２０ｂを通過すると、第２の光学特性を有する光が形成される。第１の光学特性は第２の光学特性とは異なる。本実施形態では、光学特性は、例えば光の波長及び／又は伝播経路などである。さらに、照明カバー１１０及び光学素子１２０が、発光素子１３３に対する第１の相対位置をとるとき、発光素子１３３は、光学素子１２０の第１の光学特性領域１２０ａに対応する。照明カバー１１０及び光学素子１２０が、発光素子１３３に対する第２の相対位置をとるとき、発光素子１３３は第２の光学特性領域１２０ｂに対応する。
【００１５】
一実施形態では、光学特性は例えば波長などである。光学素子１２０の第１の光学特性領域１２０ａは第１の蛍光材料を有し、第２の光学特性領域１２０ｂは第１の蛍光材料とは異なる第２の蛍光材料を有する。蛍光材料は、光が蛍光材料を通過するときにその光の波長を変えることができる。入射光は蛍光材料によって吸収され、入射光の波長とは異なる波長を有する出射光に変換される。照明カバー１１０及び光学素子１２０は互いに固定されているため、照明カバー１１０は光学素子１２０と一緒に、発光素子１３３に対して動かすことができる。したがって、異なる波長の光を生成するために照明カバー１１０を異なる配置へと動かすことによって、発光素子１３３を、光学素子１２０の第１の光学特性領域１２０ａ又は第２の光学特性領域１２０ｂに任意選択的に対応させることができる。
【００１６】
本実施形態では、光学特性は例えば波長などであり、照光特性は例えば色温度又はカラーアピアランスなどである。図１Ａ、図２Ａ、及び図３Ａに示されているように、照明カバー１１０及び光学素子１２０が発光素子１３３に対する第１の相対位置をとるとき、発光素子１３３は光学素子１２０の第１の光学特性領域１２０ａに対応する。このとき、発光素子１３３によって発せられる光は、第１の光学特性領域１２０ａの第１の蛍光材料を通過するが、第２の光学特性領域１２０ｂの第２の蛍光材料は通過しない。したがって、第１の波長を有する光が生成され、照明装置１００は第１の色温度又は第１のカラーアピアランスの照光特性を有するものになる。照明カバー１１０及び光学素子１２０が、図１Ｂ、図２Ｂ、及び図３Ｂに示されているように、発光素子１３３に対して角度θだけ、例えば反時計回りの方向Ｄ１に沿って動くと、照明カバー１１０及び光学素子１２０は、発光素子１３３に対する第２の相対位置をとり、発光素子１３３は光学素子１２０の第２の光学特性領域１２０ｂに対応する。したがって、発光素子１３３によって発せられる光は、第２の光学特性領域１２０ｂの第２の蛍光材料を通過するが、第１の光学特性領域１２０ａの第１の蛍光材料は通過しない。したがって、第２の波長を有する光が生成され、照明装置１００は第２の色温度又は第２のカラーアピアランスの照光特性を有するものになる。異なる光学特性領域の蛍光材料を通過する光は、異なるカラーアピアランス又は異なる色温度を有する光を生成するため、異なるカラーアピアランス又は異なる色温度を有する、異なる照光特性が形成される。
【００１７】
本開示の実施形態によれば、照明カバー１１０を動かすことによって、照明カバー１１０と光学素子１２０を発光素子１３３に対して動かして、発光素子１３３と光学特性領域１２０ａ、１２０ｂの間の相対位置を変えることができる。したがって、発光素子１３３によって発せられる光は、異なる光学特性領域のうちの１つを選択的に通過して、異なる光学特性のうちのそれに関連した光学特性を有する光を生成することができる。また、照明装置１００を、複数の異なる照光特性を有するものにするという効果を得ることができる。加えて、照明カバー１１０及び光学素子１２０は、機械的な調整機構を介して発光素子１３３に対して動く。機械的な調整機構は、電気的制御機構よりも信頼性が高く、また、機械的な調整機構の製造コストは比較的低い。しかしながら、本実施形態の上述の詳細は例示を目的とするものに過ぎず、発光素子１３３に対して照明カバー１１０が動く角度及び動く方向は、本実施形態に限定されない。照明カバー１１０が動くことが、発光素子１３３の光学特性領域１２０ａ、１２０ｂに対する相対位置を変えて、照明装置１００の照光特性を更に変えることができる限り、任意の機構を用いることができる。
【００１８】
図１Ａ及び図１Ｂ、並びに図３Ａ及び図３Ｂに示されているように、照明カバー１１０の底部はフランジ１１０ｂを有していてもよく、ベース１６０は溝１６０ｇを有していてもよい。フランジ１１０ｂは、照明カバー１１０をベース１６０上に位置させ、照明カバー１１０をベース１６０に対して動かすことができるように、可動な状態で溝１６０ｇに装着される。
【００１９】
加えて、照明カバー１１０及び光学素子１２０の動く範囲を制御するために、照明カバー１１０及びベース１６０の上には、複数の制限機構（図示せず）を配置してもよい。制限機構のそれぞれは、例えば、照明カバー１１０のフランジ１１０ｂ内に位置付けられるトレンチや、ベース１６０の溝１６０ｇ内に配置されるレバーなどを含むことができ、このレバーはトレンチに対応している。本実施形態では、照明カバー１１０及び光学素子１２０の動く範囲は、制限機構によって、２つの発光素子１３３の間にあるスペースそれぞれの範囲内に限定することができる。しかしながら、上述の実施形態は、例示を目的とするものに過ぎず、本開示は上述されたような制限機構の詳細に限定されない。照明カバー１１０及び光学素子１２０の動く範囲を制御することができる限り、任意の機構を用いることができる。
【００２０】
図４Ａ及び図４Ｂは、本開示の別の実施形態による照明装置の立体断面図であり、図５Ａ及び図５Ｂは、本開示の別の実施形態による照明装置の上面図である。図６Ａは、図５Ａの切断線５Ａ−５Ａ’に沿った断面の部分断面図であり、図６Ｂは、図５Ｂの切断線５Ｂ−５Ｂ’に沿った断面の部分断面図である。本実施形態の照明装置２００は、光学素子２２０の設計において先の実施形態の照明装置１００とは異なる。類似点についてはここでは繰り返さない。
【００２１】
本実施形態では、照明装置２００は、照明カバー１１０と、光学素子２２０と、ベース１６０と、少なくとも１つの発光素子１３３とを備える。照明カバー１１０はベース１６０上に配置され、またベース１６０とともに空間１８０を形成する。光学素子２２０は、照明カバー１１０の第１の開口部１１０ａに配置され、照明カバー１１０の第１の開口部１１０ａを実質的に覆う。光学素子２２０は照明カバー１１０上に固定される。光学素子２２０及び照明カバー１１０は一緒に、発光素子１３３に対して動かすことができる。発光素子１３３は空間１８０内に配置され、光学素子２２０は照明カバー１１０と発光素子１３３との間に配置される。発光素子１３３によって発せられる光が光学素子２２０に入り、次いで照明カバー１１０から出て、照明装置２００の照光特性が形成される。
【００２２】
本実施形態では、光学素子２２０は、第１の光学特性を有する光を生成する第１の光学特性領域２２０ａと、第２の光学特性を有する光を生成する第２の光学特性領域２２０ｂとを有する。換言すれば、光が第１の光学特性領域２２０ａを通過すると、第１の光学特性を有する光が形成される。また、光が第２の光学特性領域２２０ｂを通過すると、第２の光学特性を有する光が形成される。第１の光学特性は第２の光学特性とは異なる。本実施形態では、光学特性は、例えば光の波長及び／又は伝播経路などである。さらに、照明カバー１１０及び光学素子２２０が、発光素子１３３に対する第１の相対位置をとるとき、発光素子１３３は光学素子２２０の第１の光学特性領域２２０ａに対応し、照明装置２００は第１の照光特性を有する。照明カバー１１０及び光学素子２２０が、発光素子１３３に対する第２の相対位置をとるとき、発光素子１３３は第２の光学特性領域２２０ｂに対応し、照明装置２００は第１の照光特性とは異なる第２の照光特性を有する。
【００２３】
本実施形態では、光学特性は例えば波長などである。光学素子２２０の第１の光学特性領域２２０ａは蛍光材料を有し、第２の光学特性領域２２０ｂは例えば、開口部又は蛍光材料を有しない光透過素子などである。光の光学特性は、第２の光学特性領域２２０ｂを通過しても変わらないままである。照明カバー１１０及び光学素子２２０は互いに固定されているため、照明カバー１１０は光学素子２２０と一緒に、発光素子１３３に対して動くことができる。したがって、異なる色温度又は波長を有する光を生成するために照明カバー１１０を異なる配置へと動かすことによって、発光素子１３３を、光学素子２２０の第１の光学特性領域２２０ａ又は第２の光学特性領域２２０ｂに任意選択的に対応させることができる。
【００２４】
本実施形態では、光学特性は例えば波長などであり、照光特性は例えば色温度又はカラーアピアランスなどである。図４Ａ、図５Ａ、及び図６Ａに示されているように、照明カバー１１０及び光学素子２２０が、発光素子１３３に対する第１の相対位置をとるとき、発光素子１３３は、光学素子２２０の第１の光学特性領域２２０ａに対応する。このとき、発光素子１３３によって発せられる光は、第１の光学特性領域２２０ａの蛍光材料を通過するが、第２の光学特性領域２２０ｂは通過しない。したがって、第１の波長を有する光が生成され、照明装置２００を第１の色温度又は第１のカラーアピアランスの照光特性を有するものにする。照明カバー１１０及び光学素子２２０が、図４Ｂ、図５Ｂ、及び図６Ｂに示されているように、発光素子１３３に対して角度θだけ、例えば反時計回りの方向Ｄ１に沿って動くと、照明カバー１１０及び光学素子２２０は発光素子１３３に対する第２の相対位置をとり、発光素子１３３は光学素子２２０の第２の光学特性領域２２０ｂに対応する。したがって、発光素子１３３によって発せられる光は、蛍光材料を有しない第２の光学特性領域２２０ｂを通過するが、第１の光学特性領域２２０ａの蛍光材料は通過しない。したがって、第２の波長を有する光が生成され、照明装置２００を、第２の色温度又は第２のカラーアピアランスの照光特性を有するものにする。光が蛍光材料を通過するか否かによって、異なるカラーアピアランス又は異なる色温度を有する光を生成することができ、そのことにより異なるカラーアピアランス又は異なる色温度を有する、異なる照光特性が形成される。
【００２５】
本開示の実施形態によれば、発光素子１３３と光学特性領域２２０ｂの間の相対位置は、照明カバー１１０を動かして、照明カバー１１０を光学素子２２０と一緒に発光素子１３３に対して動かすことによって変えることができる。したがって、発光素子１３３は、第２の光学特性領域２２０ｂからずらすことができ、光が蛍光材料を有する第１の光学特性領域２２０ａを通過して、第２の光学特性領域２２０ｂを通過する光の光学特性とは異なる光学特性を有する光を生成することができる。このようにして、照明装置２００を、異なる照光特性を有するものにするという効果を得ることができる。しかしながら、本実施形態の上述の詳細は例示を目的とするものに過ぎず、発光素子１３３に対して照明カバー１１０が動く角度及び動く方向は、上述の実施形態に限定されない。照明カバー１１０が動くことが第２の光学特性領域２２０ｂに対する発光素子１３３の相対位置を変えて、照明装置２００の照光特性を更に変えることができる限り、任意の機構を用いることができる。
【００２６】
図７Ａ及び図７Ｂは、本開示の更なる実施形態による照明装置の立体断面図であり、図８Ａ及び図８Ｂは、本開示の更なる実施形態による照明装置の上面図である。図９Ａは、図８Ａの切断線８Ａ−８Ａ’に沿った断面の部分断面図であり、図９Ｂは、図８Ｂの切断線８Ｂ−８Ｂ’に沿った断面の部分断面図である。本実施形態の照明装置３００は、光学素子３２０の設計において先の実施形態の照明装置１００とは異なる。類似点についてはここでは繰り返さない。
【００２７】
本実施形態では、照明装置３００は、照明カバー１１０と、光学素子３２０と、ベース１６０と、少なくとも１つの発光素子１３３とを備える。照明カバー１１０は、ベース１６０上に配置され、またベース１６０とともに、空間１８０を形成する。光学素子３２０は、照明カバー１１０の第１の開口部１１０ａに配置され、照明カバー１１０の第１の開口部１１０ａを実質的に覆う。光学素子３２０は照明カバー１１０上に固定される。光学素子３２０は照明カバー１１０と一緒に、発光素子１３３に対して動かすことができる。発光素子１３３は空間１８０内に配置され、光学素子３２０は照明カバー１１０と発光素子１３３との間に配置される。発光素子１３３によって発せられる光が光学素子３２０に入り、次いで照明カバー１１０から出て、照明装置３００の照光特性が形成される。
【００２８】
本実施形態では、光学素子３２０は、第１の光学特性を有する光を生成する第１の光学特性領域３２０ａと、第２の光学特性を有する光を生成する第２の光学特性領域３２０ｂとを有する。換言すれば、光が第１の光学特性領域３２０ａに入ると、第１の光学特性を有する光が形成される。光が第２の光学特性領域３２０ｂに入ると、第２の光学特性を有する光が形成される。第１の光学特性は第２の光学特性とは異なる。本実施形態では、光学特性は例えば、光の波長及び／又は伝播経路などである。さらに、照明カバー１１０及び光学素子３２０が、発光素子１３３に対する第１の相対位置をとるとき、発光素子１３３は光学素子３２０の第１の光学特性領域３２０ａに対応し、照明装置３００は第１の照光特性を有する。照明カバー１１０及び光学素子３２０が、発光素子１３３に対する第２の相対位置をとるとき、発光素子１３３は光学素子３２０の第２の光学特性領域３２０ｂに対応し、照明装置３００は、第１の照光特性とは異なる第２の照光特性を有する。
【００２９】
一実施形態では、光学特性は例えば光の伝播経路である。図７Ａ、図８Ａ、及び図９Ａに示されているように第１の光学特性領域３２０ａは、二次光学素子３２１を含むことができる。二次光学素子３２１は、いかなる特定の構造にも限定されない。二次光学素子３２１は、入射光を反射するか、屈折させるか、又は集中させることができる光学要素である。第２の光学特性領域３２０ｂは、例えば、開口部又は光透過素子とすることができる。第２の光学特性領域３２０ｂはまた、入射光を反射するか、屈折させるか、又は集中させることができる別の光学要素とすることができる。照明カバー１１０及び光学素子３２０は互いに固定されているため、照明カバー１１０は光学素子３２０と一緒に、発光素子１３３に対して動かすことができる。したがって、発光素子１３３は、伝播経路の異なる光を生成するために、光学素子３２０の第１の光学特性領域３２０ａ又は第２の光学特性領域３２０ｂに任意選択的に対応させることができる。
【００３０】
本開示の実施形態によれば、光が異なる光学特性領域を通過するとそれぞれ異なる光学特性を持つことが可能となる限りにおいて、光学素子の第１の光学特性領域及び第２の光学特性領域は、開口部、光透過素子、二次光学素子（光を反射するか、屈折させるか、又は集中させる光学要素）、又は蛍光材料の任意の組合せとすることができる。加えて、一実施形態では、単一の光学特性領域が、二次光学素子及び蛍光材料の組合せを含むことができる。この単一の光学特性領域は、光の色温度ないし波長、及び光の伝播経路を同時に変えることができる。
【００３１】
一実施形態では、光学特性は例えば光の伝播経路などである。図７Ａ、図８Ａ、及び図９Ａに示されているように、第１の光学特性領域３２０ａは、二次光学素子３２１及び開口部３２３を有する。二次光学素子３２１は、例えば反射板などである。反射板（二次光学素子３２１）のそれぞれは、対応するそれぞれの開口部３２３の上に配置され、第２の光学特性領域３２０ｂは、例えば開口部などである。第１の光学特性領域３２０ａを通過した光と第２の光学特性領域３２０ｂを通過した光は、照明装置３００が異なる照光特性をもたらすことができるように、異なる伝播経路を有していてもよい。照明カバー１１０及び光学素子３２０は互いに固定されているため、照明カバー１１０は光学素子３２０と一緒に、発光素子１３３に対して動かすことができる。したがって、発光素子１３３は、伝播経路の異なる光を生成するために、光学素子３２０の第１の光学特性領域３２０ａ又は第２の光学特性領域３２０ｂに任意選択的に対応させることができる。
【００３２】
本実施形態では、光学特性は例えば光の伝播経路などであり、照光特性は例えば照光範囲又は光パターンなどである。図７Ａ、図８Ａ、及び図９Ａに示されているように、照明カバー１１０及び光学素子３２０が、発光素子１３３に対する第１の相対位置をとるとき、発光素子１３３は、光学素子３２０の第１の光学特性領域３２０ａに対応する。このとき、発光素子１３３によって発せられる光は、反射板（二次光学素子３２１）によって反射され、その結果、光の伝播経路が変更され、光が側方照光に変わり、また第１の伝播経路を有する光が形成される。したがって、照明装置３００は、第１の照光範囲又は第１の光パターンを有する照光特性を有する。照明カバー１１０及び光学素子３２０が、図７Ｂ、図８Ｂ、及び図９Ｂに示されているように、発光素子に対して角度θだけ、例えば、反時計回りの方向Ｄ１に沿って動くと、照明カバー１１０及び光学素子３２０は、発光素子１３３に対する第２の相対位置をとり、発光素子は第２の光学特性領域３２０ｂに対応する。したがって、反射板（二次光学素子３２１）のそれぞれは、２つの発光素子１３３の中間に位置付けられる。このとき、発光素子１３３によって発せられる光は、反射板のうちのいずれよっても反射されることなく、第２の光学特性領域３２０ｂの開口部をそのまま通過する。したがって、第２の伝播経路を有する光が形成され、照明装置３００を、第２の照光範囲又は第２の光パターンを有する照光特性を持つものにする。
【００３３】
本実施形態では、反射板は透明なレンズとすることができる。発光素子１３３によって発せられる光の一部分は反射板を通過して上方に出射され、またこの光の別の部分は反射されて側方照光となる。本実施形態では、反射レンズは更には、自身の内部で蛍光材料と均一に混ぜ合わされているか、又は自身の表面上に蛍光材料がコーティングされているかによって、反射板を通過する光が吸収され、異なる波長の光に変換されるようにしてもよい。このようにして照明装置３００は、複数の異なる色温度、カラーアピアランス、照光範囲、又は光パターンを有する照光特性を持つことができる。
【００３４】
本開示の実施形態によれば、照明カバー１１０及び光学素子３２０に対する発光素子１３３の相対位置は、光学特性領域３２０ａ（反射板）に対する発光素子１３３の相対位置を変えるように、照明カバー１１０を動かすことによって変えることができる。したがって発光素子１３３は、光学特性領域３２０ａ（反射板）に位置を合わせるか、光学特性領域３２０ａ（反射板）から離れるように調整して、光の伝播経路を変更することができる。また照明装置３００には、例えば複数の異なる光パターン又は照光範囲などの複数の異なる照光特性を備えさせることができる。しかしながら、上述した本実施形態の詳細は例示を目的とするものに過ぎず、発光素子１３３に対して照明カバー１１０の動く角度や動く方向、並びに光学特性領域３２０ａ、３２０ｂの設計は、上述の実施形態に限定されない。照明カバー１１０を動かすことが光学特性領域３２０ａ、３２０ｂに対する発光素子１３３の相対位置を変えて、照明装置３００の照光特性（光パターン／照光範囲）を更に変えることができる限り、任意の機構を用いることができる。
【００３５】
図１０Ａ及び図１０Ｂは、本開示の更に別の実施形態による照明装置の立体断面図であり、図１１Ａ及び図１１Ｂは、本開示の更に別の実施形態による照明装置の上面図である。図１２Ａは、図１１Ａの切断線１１Ａ−１１Ａ’に沿った断面の部分断面図であり、図１２Ｂは、図１１Ｂの切断線１１Ｂ−１１Ｂ’に沿った断面の部分断面図である。本実施形態の照明装置４００は、光学素子４２０の設計において先の実施形態の照明装置１００とは異なる。類似点についてはここでは繰り返さない。
【００３６】
本実施形態では、照明装置４００は、照明カバー１１０と、光学素子４２０と、ベース１６０と、少なくとも１つの発光素子１３３とを備える。照明カバー１１０は、ベース１６０上に配置され、またベース１６０とともに、空間１８０を形成する。光学素子４２０は、照明カバー１１０の第１の開口部１１０ａに配置され、照明カバー１１０の第１の開口部１１０ａを実質的に覆う。光学素子４２０は照明カバー１１０上に固定される。光学素子４２０は照明カバー１１０と一緒に、発光素子１３３に対して動かすことができる。発光素子１３３は空間１８０内に配置され、光学素子４２０は照明カバー１１０と発光素子１３３との間に配置される。発光素子１３３によって発せられる光が光学素子４２０を通過し、次いで照明カバー１１０から出て、照明装置４００の照光特性が形成される。
【００３７】
本実施形態では、光学素子４２０は、第１の光学特性を有する光を生成する第１の光学特性領域４２０ａと、第２の光学特性を有する光を生成する第２の光学特性領域４２０ｂとを有する。換言すれば、光が第１の光学特性領域４２０ａ内へ出射されると、第１の光学特性を有する光が生成される。また、光が第２の光学特性領域４２０ｂ内へ出射されると、第２の光学特性を有する光が生成される。第１の光学特性は第２の光学特性とは異なる。本実施形態では光学特性は例えば、光の波長及び／又は伝播経路である。さらに、照明カバー１１０及び光学素子４２０が、発光素子１３３に対する第１の相対位置をとるとき、発光素子１３３は光学素子４２０の第１の光学特性領域４２０ａに対応し、照明装置４００は第１の照光特性を有する。照明カバー１１０及び光学素子４２０が、発光素子１３３に対する第２の相対位置をとるとき、発光素子１３３は第２の光学特性領域４２０ｂに対応し、照明装置４００は第１の照光特性とは異なる第２の照光特性を有する。
【００３８】
一実施形態では、光学特性は例えば光の伝播経路などである。図１０Ａ、図１１Ａ、及び図１２Ａに示されているように、光学素子４２０の第１の光学特性領域４２０ａは、例えば光透過素子などであり、第２の光学特性領域４２０ｂは、例えば集光レンズなどの二次光学素子などである。照明カバー１１０は光学素子４２０と一緒に、発光素子１３３に対して動かすことができるため、発光素子１３３は、伝播経路の異なる光を生成するために、光学素子４２０の第１の光学特性領域４２０ａ又は第２の光学特性領域４２０ｂに任意選択的に対応させることができる。
【００３９】
一実施形態では、図１０Ａ及び図１０Ｂ、並びに図１１Ａ及び図１１Ｂに示されているように、集光レンズ（二次光学特性領域４２０ｂ）のそれぞれは、光学素子４２０上に配置される複数のプリズムを含むことができる。集光効果は、プリズムの数、大きさ、及び配置を調整することによって得ることができる。
【００４０】
本実施形態では、光学特性は例えば光の伝播経路などであり、照光特性は例えば照光範囲又は光パターンなどである。図１０Ａ、図１１Ａ、及び図１２Ａに示されているように、照明カバー１１０及び光学素子４２０が発光素子１３３に対する第１の相対位置をとるとき、発光素子１３３は光学素子４２０の第１の光学特性領域４２０ａに対応する。このとき、発光素子１３３によって発せられる光は、集光レンズを通過して屈折したりはせず、その結果、第１の伝播経路を有する光が形成される。したがって照明装置４００は、第１の照光範囲又は第１の光パターンを有する照光特性を持つ。照明カバー１１０及び光学素子４２０が、図１０Ｂ、図１１Ｂ、及び図１２Ｂに示されているように、発光素子１３３に対して角度θだけ、例えば反時計回りの方向Ｄ１に沿うなどして動くと、照明カバー１１０及び光学素子４２０は発光素子１３３に対する第２の相対位置をとり、発光素子１３３は第２の光学特性領域４２０ｂに対応する。したがって、発光素子１３３によって発せられる光は、第２の光学特性領域４２０ｂの集光レンズを通過して屈折し、この光の伝播経路は変更される。屈折光は集光されて上方に出射される。したがって、第２の伝播経路を有する光が形成され、照明装置４００を第２の照光範囲又は第２の光パターンを有する照光特性を持つものにする。
【００４１】
別の実施形態では、第２の光学特性領域４２０ｂは例えば、発光素子１３３に対して動かすことの出来る発散レンズなどである。発散レンズは例えば、光学素子４２０上に配置される複数のプリズムなどを含む。この実施形態では発散レンズ（二次光学特性領域４２０ｂ）が、発光素子１３３に対して角度θだけ、例えば反時計回りの方向に沿って動くとき、図１０Ｂ、図１１Ｂ、及び図１２Ｂを参照すると、照明カバー１１０及び光学素子４２０は発光素子１３３に対する第２の相対位置をとり、発光素子１３３は、光学素子４２０の第２の光学特性領域４２０ｂに対応する。したがって、発光素子１３３によって発せられる光は、第２の光学特性領域４２０ｂの発散レンズを通過して屈折し、この光の伝播経路は変更されて側方照光が形成される。そして、第２の伝播経路を有する光が生成され、照明装置４００を第２の照光範囲／光パターンを有する照光特性を持つものにする。
【００４２】
代替的な実施形態では、光学素子４２０の第１の光学特性領域４２０ａは例えば発散レンズなどであり、第２の光学特性領域４２０ｂは例えば集光レンズなどである。伝播経路の異なる複数の光が、発光素子１３３に対する光学素子４２０の相対位置を変えることによって形成され、その結果照明装置４００は、複数の異なる照光範囲／光パターンを有する複数の異なる照光特性をもつことができる。
【００４３】
本開示の実施形態によれば、照明カバー１１０を動かすことによって、照明カバー１１０及び光学素子４２０に対する発光素子１３３の相対位置を調整及び変更することができる。したがって、光学特性領域４２０ｂ（集光レンズ又は発散レンズ）に対する発光素子１３３の相対位置は変えられる。その結果発光素子１３３は、光学特性領域４２０ｂ（集光レンズ又は発散レンズ）と位置合わせして光を屈折させるようにするか、又は光学特性領域４２０ｂ（集光レンズ又は発散レンズ）からずらすか、調整することができ、照明装置４００を、複数の異なる光パターン／照光範囲を有する複数の異なる照光特性を持つものにする。しかしながら、本実施形態は例示を目的とするものに過ぎない。照明カバー１１０を動かして光学特性領域４２０ａ及び４２０ｂに対する発光素子１３３の相対位置を変えることにより、照明装置４００の照光特性（光パターン／照光範囲）を変えることができる限りにおいて、発光素子１３３に対して照明カバー１１０が動く角度及び動く方向、並びに光学特性領域４２０ａ及び４２０ｂの設計は、本実施形態に限定されない。
【００４４】
本開示の実施形態に開示されている照明装置によれば、発光素子に対する照明カバーの相対位置を調整することによって、光学素子に対する発光素子の相対位置を調整及び変更することができる。したがって、出射光の光学特性は、発光素子に対する照明カバーの相対位置が変化すると変わり、その結果、照明装置の照光特性を調整することができる。加えて、発光素子に対する照明カバーの動きは、機械的機構によって行われる。機械的機構は、電気的機構よりも信頼性が高く、かつコストが少なくて済む。さらに、同じ数及び同じ輝度の発光素子（複数の場合もある）の場合、実施形態の照明装置の光パターン及び色温度は、光の伝播経路及び波長を光学素子の構造的特性によって調整することで変えられる。したがって、発光素子の数を更に増やすことなく、効率が向上してコストが削減される。さらに、光学素子及び発光素子は、照明カバー及びベースによって形成される空間内に配置され、その結果照光特性が調整可能である一方で、照明装置にシンプルで美しい外観設計をもたらすことができる。
【００４５】
例を通して、また好適な実施形態を通して本発明を説明したが、本発明はこれらに限定されないことを理解されたい。反対に、本発明は、種々の変更形態並びに類似の構成及び手順を網羅することが意図されている。したがって、添付の特許請求の範囲のクレーム範囲は、そのような全ての変更形態並びに類似の構成及び手順を包含するように最大限の拡大解釈が与えられるべきである。
【図１Ａ】
2014229608.tif 000003
【図１Ｂ】
2014229608.tif 000004
【図２Ａ】
2014229608.tif 000005
【図２Ｂ】
2014229608.tif 000006
【図３Ａ】
2014229608.tif 000007
【図３Ｂ】
2014229608.tif 000008
【図４Ａ】
2014229608.tif 000009
【図４Ｂ】
2014229608.tif 000010
【図５Ａ】
2014229608.tif 000011
【図５Ｂ】
2014229608.tif 000012
【図６Ａ】
2014229608.tif 000013
【図６Ｂ】
2014229608.tif 000014
【図７Ａ】
2014229608.tif 000015
【図７Ｂ】
2014229608.tif 000016
【図８Ａ】
2014229608.tif 000017
【図８Ｂ】
2014229608.tif 000018
【図９Ａ】
2014229608.tif 000019
【図９Ｂ】
2014229608.tif 000020
【図１０Ａ】
2014229608.tif 000021
【図１０Ｂ】
2014229608.tif 000022
【図１１Ａ】
2014229608.tif 000023
【図１１Ｂ】
2014229608.tif 000024
【図１２Ａ】
2014229608.tif 000025
【図１２Ｂ】
2014229608.tif 000026
【外国語明細書】
2014229608000001.pdf